(57)【要約】【課題】商品情報表示板の内容変更作業等における作業性がよく、陳列商品を傷つけるおそれが小さい商品情報表示スタンドを提供すること。【解決手段】一対の第１支柱と、長尺可動棒部材と、一端が一対の第１支柱に回動自在及び他端が長尺可動棒部材に回動自在に取り付けられ一対の第１支柱と長尺可動棒部材とでリンク機構を構成する一対の短尺回動棒部材と、長尺可動棒部材にその下端が支持される長尺可動棒部材とほぼ同様の長さの商品情報表示ボードとを備え、長尺可動棒部材に付設された把持部の押し操作又は引き操作により、長尺可動棒部材と短尺回動棒部材が重なる第１の位置姿勢、短尺回動棒部材が一対の第１支柱より手前に長く延在する第２の位置姿勢、及び短尺回動棒部材が一対の第１支柱より後方に長く延在する第３の位置姿勢を連続自在に採れるようにした商品情報表示スタンド。【選択図】      図５
2004248954.tif 000002
【特許請求の範囲】
【請求項１】
商品陳列棚の後方且つ両側方向に設置される一対の第１支柱と、該商品陳列棚の長手方向全長とほぼ同様の長さを有する長尺可動棒部材と、一端が一対の第１支柱に回動自在及び他端が該長尺可動棒部材に回動自在に取り付けられ該一対の第１支柱と該長尺可動棒部材とでリンク機構を構成する一対の短尺回動棒部材と、該長尺可動棒部材にその下端が支持される商品情報表示ボードとを備え、該長尺可動棒部材の押し操作又は引き操作により、該長尺可動棒部材と該短尺回動棒部材が重なる第１の位置姿勢、該短尺回動棒部材が該一対の第１支柱より手前に長く延在する第２の位置姿勢、及び該短尺回動棒部材が該一対の第１支柱より後方に長く延在する第３の位置姿勢を連続自在に採れるようにしたことを特徴とする商品情報表示スタンド。
【請求項２】
前記長尺可動棒部材の長さ方向の略中央部に把持部が付設されることを特徴とする請求項１記載の商品情報表示スタンド。
【請求項３】
前記商品情報表示ボードが、前記長尺可動棒部材と略同様の長さであることを特徴とする請求項１又は２記載の商品情報表示スタンド。
【発明の詳細な説明】
【０００１】
【発明の属する技術分野】
本発明は、スーパーマーケット等で生鮮野菜や肉類の陳列を行う商品陳列棚の奥に設置されて商品名や価格等を表示する商品情報表示スタンドに関するものであり、特に、表示板の前後方向の移動が容易にできる商品情報表示スタンドに関するものである。
【０００２】
【従来の技術】
商品情報表示スタンドは、水平に又は傾斜して設置される商品陳列棚等に陳列される商品の名前や価格を表示する商品情報表示板を、該商品情報表示板を支持する支持部材及び該支持部材を支える支柱等で支持するものであり、スーパーマーケット等で用いられている。従来、商品情報表示スタンドは、図１及び図２に示す１ｂのようなものが知られており、商品情報表示板７は購買者が商品陳列棚に載置された商品を手に取る際に邪魔にならないようにするため、商品陳列棚の奥側に設置される。また、商品情報表示板７は、商品情報の変更等の作業のため取り外しが容易にするために、図１〜図３に示すように商品の種類毎にフック６３が付いた表示板７を支持部材８にぶら下げる形態のものとなっている。
【０００３】
【発明が解決しようとする課題】
しかしながら、従来の商品情報表示スタンドでは、商品情報表示板７が商品陳列棚の奥に固定されているため、商品情報表示板７の内容変更作業等においては、作業者の手が商品情報表示板７に届き難くて作業性が悪いという問題があった。特に、近年は、商品陳列のスペース効率の向上や見栄え等を考慮して商品陳列棚の奥行き方向が大きくなってきており、このため、上記作業性がさらに悪化してきており、問題になっている。また、作業性の悪さにより作業板７の支持部材８への着脱の際に作業者が手を滑らせて表示板７を商品の上に落下させて商品を傷つけるおそれがあるという問題があった。
【０００４】
従って、本発明の目的は、商品情報表示板の内容変更作業等における作業性がよく、陳列商品を傷つけるおそれが小さい商品情報表示スタンドを提供することにある。
【０００５】
【課題を解決するための手段】
かかる実情において、本発明者は鋭意検討を行った結果、商品情報表示板と第１支柱との間に回動自在に取り付けられた所定のリンク機構を設けて商品情報表示板を前後方向に移動可能にすれば、通常は商品陳列棚の奥にある商品情報表示板を表示内容変更作業時に容易に手前に引き寄せて複数の表示カードを一挙に変更又は交換することが可能になることを見出し、本発明を完成するに至った。
【０００６】
すなわち、本発明（１）は、商品陳列棚の後方且つ両側方向に設置される一対の第１支柱と、該商品陳列棚の長手方向全長とほぼ同様の長さを有する長尺可動棒部材と、一端が一対の第１支柱に回動自在及び他端が該長尺可動棒部材に回動自在に取り付けられ該一対の第１支柱と該長尺可動棒部材とでリンク機構を構成する一対の短尺回動棒部材と、該長尺可動棒部材にその下端が支持される商品情報表示ボードとを備え、該長尺可動棒部材の押し操作又は引き操作により、該長尺可動棒部材と該短尺回動棒部材が重なる第１の位置姿勢、該短尺回動棒部材が該一対の第１支柱より手前に長く延在する第２の位置姿勢、及び該短尺回動棒部材が該一対の第１支柱より後方に長く延在する第３の位置姿勢を連続自在に採れるようにしたことを特徴とする商品情報表示スタンドを提供するものである。
【０００７】
かかる構成を採ることにより、商品情報表示ボードが所定のリンク機構により水平方向にスイングして前後方向に移動可能になるため、通常は購買者の邪魔にならないように商品陳列棚の奥にある商品情報表示ボードを商品情報変更等の作業時にのみ容易に手前に引き出して作業性よく且つ商品情報表示ボードを陳列商品の上に落下させることなく商品情報表示カードを交換することが可能になる。
【０００８】
また、本発明（２）は、前記商品情報表示スタンドにおいて、前記長尺可動棒部材の長さ方向の略中央部に把持部が付設されることを特徴とする商品情報表示スタンドを提供するものである。
【０００９】
かかる構成を採ることにより、本発明（１）に係る商品情報表示スタンドの奏する効果に加えて、把持部が長尺可動棒部材よりも作業者に近い位置にありしかも把持し易いため、商品情報表示ボードを支持する長尺可動棒部材の押し操作又は引き操作を容易に行うことができる。
【００１０】
また、本発明（３）は、前記商品情報表示スタンドにおいて、前記商品情報表示ボードが、前記長尺可動棒部材と略同様の長さであることを特徴とする商品情報表示スタンドを提供するものである。
【００１１】
かかる構成を採ることにより、本発明（１）又は（２）に係る商品情報表示スタンドの奏する効果に加えて、商品情報をより多く表示し、複数の商品情報表示カードの着脱を一挙に行うことができる。また、商品情報表示ボードに複数の商品情報表示カードをカード間の隙間がないように並べることにより見た目がすっきりして荒れのない整列化された売り場となり、購買者に好印象を与えることができる。
【００１２】
【発明の実施の形態】
図４〜図１４を参照して、本発明に係る商品情報表示スタンドを説明する。図４は、本発明に係る商品情報表示スタンドの第１の実施の形態の正面から見た模式図であり、図５及び図６は、本発明に係る商品情報表示スタンドの第１の実施の形態の右側面から見た模式図である。
【００１３】
第１の実施の形態１ａにおいては、離間して配置される一対の第２支柱３、３同士を接合する断面矩形棒状の上梁部材９が一対の第２支柱３、３の上端部に、断面矩形棒状の下梁部材１０が第２支柱３、３の下端部にそれぞれ接合されており、一対の第２支柱３、３、上梁部材９及び下梁部材１０でフレームを形成している。一対の第２支柱３、３は、商品陳列棚の後方且つ両側方向に設置されるものである。また、一対の第２支柱３、３のそれぞれの下端部には、長手方向が前後方向となる断面矩形棒状の脚部１１が設けられており、第１の実施の形態１の安定化を図っている。
【００１４】
また、上梁部材９は棚状に形成されており、適宜、商品を陳列したり、クリップを用いた商品表示具等を挟みつけて固定したりすることができるようになっている。上梁部材９の上面には、上方に向かって一対の第１支柱２、２が離間して立設されている。一対の第１支柱２、２は、商品陳列棚の後方且つ両側方向に設置されるものである。
【００１５】
一対の第１支柱２、２のそれぞれの上端部には、一端が一対の第１支柱２、２に回動自在となった一対の短尺回動棒部材５、５が設けられている。また、一対の短尺回動棒部材５、５の他端には、商品陳列棚３０の長手方向全長と略同様の長さを有する長尺可動棒部材４が回動自在に取り付けられ、該取り付け位置は長尺可動棒部材４の長手方向に離間して設けられる。第１の実施の形態１では、このように一対の第１支柱２、２、一対の短尺回動棒部材５、５及び長尺可動棒部材４を構成することにより、全体としてリンク機構１７を構成するようになっている。
【００１６】
リンク機構１７を構成する部分について、図７及び図８を参照してさらに詳細に説明する。一対の第１支柱２、２のそれぞれの上端部にはホゾ１３が設けられており、該ホゾ１３に短尺回動棒部材５の一端の下方側に設けられた突起部１４が緩挿されることにより、第１支柱２と短尺回動棒部材５とが回動自在になっている。また、短尺回動棒部材５の他端には孔部１５が設けられており、該孔部１５に長尺可動棒部材４の下方側に設けられた突起部１６が緩挿されることにより、短尺回動棒部材５と長尺可動棒部材４とが回動自在になっている。
【００１７】
リンク機構１７は、長尺可動棒部材４の下面に離間して２個の突起部１６、１６を設け、また第１支柱２及び短尺回動棒部材５を２個ずつ用いて長尺可動棒部材４の２個の突起部１６、１６に回動自在に取り付けると共に、２個の短尺回動棒部材５における突起部１４と孔部１５との離間間隔を同一にすることにより構成される。
【００１８】
このようにして構成されたリンク機構１７によると、長尺可動棒部材４の長手方向が常に一定方向になる状態で長尺可動棒部材４をスイングさせることが可能になる。長尺可動棒部材４のスイングの様子を図８に示す。図８中、Ａは長尺可動棒部材４と短尺回動棒部材５が重なる状態にある。本発明においてこの状態を第１の位置姿勢という。また、図８中、Ｂは短尺回動棒部材５が一対の第１支柱２より手前に長く延在する状態にある。本発明においてこの状態を第２の位置姿勢という。さらに、図８中、Ｃは短尺回動棒部材５が一対の第１支柱２より後方に長く延在する状態にある。本発明においてこの状態を第３の位置姿勢という。
【００１９】
リンク機構１７は、長尺可動棒部材４の長さ方向の略中央部に付設された把持部１８の押し操作又は引き操作により、上記第１、第２及び第３の位置姿勢を、第２、第１、第３、第１及び第２の順番又はこの逆の順番に連続自在に採れるようになっている。また、リンク機構１７は、２個の短尺回動棒部材５における突起部１４と孔部１５との離間間隔が同一であるため、把持部１８が長尺可動棒部材４の長さ方向の略中央部に付設されると、第１、第２及び第３の位置姿勢及びこれらの間の位置姿勢のいずれの状態においても、長尺可動棒部材４の向きを一定に保つことが可能になる。
【００２０】
長尺可動棒部材４とリンク機構１７を構成する長尺可動棒部材４の上には、長尺可動棒部材４にその下端が支持される長尺可動棒部材４と略同様の長さの商品情報表示ボード６が設けられる。商品情報表示ボード６の下端には、長さ方向の全体に亘って断面が下方に対し略コの字形状の溝が形成された固定部６１が設けられており、商品情報表示ボード６は該固定部６１により長尺可動棒部材４と係合し、固定されている。
【００２１】
商品情報表示ボード６は全体の形状が横長の矩形になっている。商品情報表示ボード６の前面及び背面には、上端に下方に凹状をした第１係合溝及び中段に上方に凹状をした第２係合溝が設けられ、中段に下方に凹状をした第３係合溝及び下段に上方に凹状をした第４係合溝が設けられる。これにより、第１係合溝と第２係合溝との間、及び第３係合溝と第４係合溝との間に上下２段の情報表示部２０、２０が形成され、該情報表示部２０、２０に商品情報表示カード１９を挿入することにより、商品情報表示ボード６に商品情報が表示される。
【００２２】
本発明に係る商品情報表示スタンドは、商品情報表示ボード６がリンク機構１７を構成する長尺可動棒部材４に固定されているため、その向きは長尺可動棒部材４の向きと同様に一定に保たれる。すなわち、商品情報表示ボード６は、第１、第２若しくは第３のいずれの位置姿勢又はこれらの間の位置姿勢を採る場合でも、常に正面及び背面に相対させることが可能になる。この様子を図９〜図１４を用いて説明する。
【００２３】
図９及び図１０は、第１の位置姿勢を示す斜視図であり、図９はリンク機構１７のみ、図１０はリンク機構１７に商品情報表示ボード６が係合された状態を示す。この状態においては、長尺可動棒部材４及び商品情報表示ボード６は一対の第１支柱２、２と略同一面上にある。この位置姿勢は、通常、商品が商品陳列棚に陳列されている状態に採るものである。この位置姿勢は、図１１及び図１２に示す第２の位置姿勢において、把持部１８の押し操作を行ったり、図１３及び図１４に示す第３の位置姿勢において、背面側から把持部１８の押し操作を行ったりすることにより、作り出すことができる。この位置姿勢では、商品情報表示スタンド１の商品情報表示ボード６が商品陳列棚の上にかぶさらないから、見栄えの点でよく、購買者の邪魔にもならない。
【００２４】
図１１及び図１２は、第２の位置姿勢を示す斜視図であり、図１１はリンク機構１７のみ、図１２はリンク機構１７に商品情報表示ボード６が係合された状態を示す。この状態においては、長尺可動棒部材４及び商品情報表示ボード６は一対の第１支柱２、２より手前に長く延在する。この位置姿勢は、通常、作業者が商品情報表示カード１９の交換作業等を行う際に採るものである。この位置姿勢は、図９及び図１０に示す第１の位置姿勢において、把持部１８の引き操作を行うことにより、作り出すことができる。この位置姿勢では、商品情報表示スタンド１の商品情報表示ボード６が作業者側に引き寄せられて近くなっているから、作業者による商品情報表示カード１９の交換作業等を容易に行える。
【００２５】
図１３及び図１４は、第３の位置姿勢を示す斜視図であり、図１３はリンク機構１７のみ、図１４はリンク機構１７に商品情報表示ボード６が係合された状態を示す。この状態においては、長尺可動棒部材４及び商品情報表示ボード６は一対の第１支柱２、２より後方に長く延在する。この位置姿勢は、例えば、商品情報表示ボード６の正面及び背面に設けられた情報表示部２０を利用して１台の商品情報表示スタンドが２台の商品陳列棚の中央に置かれた場合に、背面側の情報表示部２０の商品情報表示カード１９の交換作業等の場合に採るものである。この位置姿勢は、図９及び図１０に示す第１の位置姿勢において、背面側から把持部１８の引き操作を行うことにより、作り出すことができる。この位置姿勢では、商品情報表示スタンド１の商品情報表示ボード６が背面側の作業者に引き寄せられて近くなっているから、作業者による商品情報表示カード１９の交換作業等を容易に行える。
【００２６】
なお、第１の実施の形態１ａにおいては一対の第２支柱３、３を設けているが、本発明はこれに限定されるものでなく、一対の第２支柱３、３を設けない構成としてもよい。この場合、部材数が少なくて済むため商品情報表示スタンドの低コスト化を図ることができる。
【００２７】
また、第１の実施の形態１ａにおいては、長尺可動棒部材４に把持部１８が付設され、該把持部１８の押し操作又は引き操作により前記長尺可動棒部材４の押し操作又は引き操作を行うことができるようにしたが、本発明はこれに限定されるものでなく、把持部１８を設けずに長尺可動棒部材４を直接に押し操作又は引き操作するような構成としてもよい。この場合、部材数が少なくて済むため商品情報表示スタンドの低コスト化を図ることができる。
【００２８】
さらに、第１の実施の形態１ａにおいては、商品情報表示ボード６を矩形で長尺可動棒部材４と略同様の長さを有するものとしているが、本発明はこれに限定されるものでなく、商品情報表示ボード６の形状を矩形以外のものとしたり、長さを適宜短くしたりした構成としてもよい。例えば、商品情報表示ボード６として、従来用いられていた図３に示す形状の表示板７を用いてもよい。表示板７は、下方に対し略コの字形状の溝が形成された固定部６２が設けられたものである。この場合は、従来用いられていた表示板７を再利用することができるため、廃棄物を出さずに済むと共に商品情報表示スタンドの低コスト化を図ることができる。
【００２９】
本発明に係る商品情報表示スタンドは、スーパーマーケット等の商品陳列棚の奥に設置される商品情報表示スタンドとして使用することができる。
【００３０】
【発明の効果】
本発明（１）に係る商品情報表示スタンドによれば、商品情報表示ボードが所定のリンク機構により水平方向にスイングして前後方向に移動可能になるため、通常は購買者の邪魔にならないように商品陳列棚の奥にある商品情報表示ボードを商品情報変更等の作業時にのみ容易に手前に引き出して作業性よく且つ商品情報表示ボードを陳列商品の上に落下させることなく商品情報表示カードを交換することが可能になる。
【００３１】
また、本発明（２）に係る商品情報表示スタンドによれば、本発明（１）に係る商品情報表示スタンドの奏する効果に加えて、把持部が長尺可動棒部材よりも作業者に近い位置にありしかも把持し易いため、商品情報表示ボードを支持する長尺可動棒部材の押し操作又は引き操作を容易に行うことができる。
【００３２】
また、本発明（３）に係る商品情報表示スタンドによれば、本発明（１）又は（２）に係る商品情報表示スタンドの奏する効果に加えて、商品情報をより多く表示し、複数の商品情報表示カードの着脱を一挙に行うことができる。また、商品情報表示ボードに複数の商品情報表示カードをカード間の隙間がないように並べることにより見た目がすっきりして荒れのない整列化された売り場となり、購買者に好印象を与えることができる。
【図面の簡単な説明】
【図１】図１は、従来の商品情報表示スタンドの正面図である。
【図２】図２は、従来の商品情報表示スタンドの右側面図である。
【図３】図３は、従来の商品情報表示スタンドに用いられる商品情報表示板の斜視図である。
【図４】図４は、本発明に係る商品情報表示スタンドの正面から見た模式図である。
【図５】図５は、本発明に係る商品情報表示スタンドの右側面から見た模式図である。
【図６】図６は、本発明に係る商品情報表示スタンドの右側面から見た模式図である。
【図７】図７は、リンク機構を示す部分の斜視による説明図である。
【図８】図８は、リンク機構を示す部分の斜視による説明図である。
【図９】図９は、第１の位置姿勢にあるリンク機構１７の模式的な斜視図である。
【図１０】図１０は、第１の位置姿勢にある商品情報表示ボードの模式的な斜視図である。
【図１１】図１１は、第２の位置姿勢にあるリンク機構１７の模式的な斜視図である。
【図１２】図１２は、第２の位置姿勢にある商品情報表示ボードの模式的な斜視図である。
【図１３】図１３は、第３の位置姿勢にあるリンク機構１７の模式的な斜視図である。
【図１４】図１４は、第３の位置姿勢にある商品情報表示ボードの模式的な斜視図である。
【符号の説明】
１ａ、１ｂ    商品情報表示スタンド
２    第１支柱
３    第２支柱
４    長尺可動棒部材
５    短尺回動棒部材
６    商品情報表示ボード
７    商品情報表示板
８    支持部材
９    上梁部材
１０    下梁部材
１１    脚部
１３    第１支柱のホゾ
１４    短尺回動棒部材の突起部
１５    短尺回動棒部材の孔部
１６    長尺可動棒部材の突起部
１７    リンク機構
１８    把持部
１９    商品情報表示カード
２０    情報表示部
３０    商品陳列棚
６１    ボード固定部
６２    従来の表示板の固定部
６３    フック
【図１】
2004248954.tif 000003
【図２】
2004248954.tif 000004
【図３】
2004248954.tif 000005
【図４】
2004248954.tif 000006
【図５】
2004248954.tif 000007
【図６】
2004248954.tif 000008
【図７】
2004248954.tif 000009
【図８】
2004248954.tif 000010
【図９】
2004248954.tif 000011
【図１０】
2004248954.tif 000012
【図１１】
2004248954.tif 000013
【図１２】
2004248954.tif 000014
【図１３】
2004248954.tif 000015
【図１４】
2004248954.tif 000016